(57)【要約】      （修正有）【課題】処理の全体を確認しながら設定情報を入力することができる前処理装置およびこれを備えた分析システムを提供する。【解決手段】前処理部５０２および分析装置の一連の処理それぞれのアイコン５０４、５０６、５０８を、該一連の処理の実行順が特定可能となる態様で設定画面５３５に表示し、前処理部５０２および分析装置での処理がエラーが発生することなく終了した場合に実行する第１シャットダウン処理の第１シャットダウンアイコン５１０と、前処理部および分析装置での処理中にエラーが発生して終了した場合に実行する第２シャットダウン処理の第２シャットダウンアイコン５１８とを、一連の処理それぞれのアイコンに関連付けて表示し、これらのアイコンのうちいずれかがユーザにより選択されたときに、該選択されたアイコンに対応した処理の設定情報を入力する入力画面を設定画面５３５に表示する。【選択図】図１０
2020063966.tif 000002
【特許請求の範囲】
【請求項１】
分析装置で分析する試料に対して前処理を行う前処理部と、
分析条件の入力を受付ける分析条件入力部と、
前記分析条件入力部により入力された前記分析条件を前記分析装置に送信する通信部と、
前記前処理部を制御するとともに、前記分析装置に送信した前記分析条件に基づいて該分析装置を制御する制御部と、
前記制御部で制御する前記前処理部および前記分析装置の設定情報を設定する設定部と、
前記設定部で設定する前記設定情報を入力する設定情報入力部と、
前記設定情報入力部で前記設定情報を入力するための設定画面を表示する表示部とを備え、
前記表示部は、
前記前処理部および前記分析装置の一連の処理それぞれのアイコンを、該一連の処理の実行順が特定可能となる態様で前記設定画面に表示し、
前記前処理部および前記分析装置での処理がエラーが発生することなく終了した場合に実行する第１シャットダウン処理のアイコンと、前記前処理部および前記分析装置での処理中にエラーが発生して終了した場合に実行する第２シャットダウン処理のアイコンとを、前記一連の処理それぞれのアイコンに関連付けて表示し、
前記一連の処理それぞれのアイコン、前記第１シャットダウン処理のアイコン、および前記第２シャットダウン処理のアイコンのうちいずれかがユーザにより選択されたときに、該選択されたアイコンに対応した処理の前記設定情報を入力する入力画面を前記設定画面に表示する、前処理装置。
【請求項２】
前記表示部は、前記分析装置の種別に応じて、処理に対応したアイコンの並び順を変更する、請求項１に記載の前処理装置。
【請求項３】
前記表示部は、前記前処理部および前記分析装置での実行順に関係なく、処理に対応したアイコンを選択して前記入力画面を表示することが可能である、請求項１または請求項２に記載の前処理装置。
【請求項４】
前記表示部は、前記設定画面に前記前処理部および前記分析装置での実行開始ボタンを表示し、前記前処理部および前記分析装置において設定される前記設定情報が入力されていない場合に前記実行開始ボタンが選択できない、請求項１〜請求項３のいずれか１項に記載の前処理装置。
【請求項５】
前記表示部は、前記設定画面に表示されるアイコンの並び順を任意に変更することができる、請求項１〜請求項４のいずれか１項に記載の前処理装置。
【請求項６】
前記表示部は、第１の処理の設定を行う前記入力画面で前記設定情報を入力した場合、前記第１の処理に関連する第２の処理の設定を行う前記入力画面において、あらかじめ前記設定情報を入力して表示する、請求項１〜請求項５のいずれか１項に記載の前処理装置。
【請求項７】
前記一連の処理は、前準備、検体分析、および後処理を含み、
前記表示部は、前準備、検体分析、および後処理という実行順が特定可能となる態様で、前準備、検体分析、および後処理それぞれのアイコンを前記設定画面に表示する、請求項１〜請求項６いずれか１項に記載の前処理装置。
【請求項８】
前記前処理装置および前記分析装置は、分析対象の試料が前記前処理装置に導入されていない状態で、前記一連の処理を実行するダミー分析を実行可能であり、
前記表示部は、前記ダミー分析のアイコンを前記設定画面に表示する、請求項１〜請求項７いずれか１項に記載の前処理装置。
【請求項９】
前記前処理装置および前記分析装置は、１の分析処理が終了したときから次の分析処理を実行するまでの間に待機処理を実行可能であり、
前記表示部は、前記待機処理のアイコンを前記設定画面に表示する、請求項１〜請求項８いずれか１項に記載の前処理装置。
【請求項１０】
請求項１〜請求項９のいずれか１項に記載の前記前処理装置と、前記分析装置とを備える分析システム。
【発明の詳細な説明】
【技術分野】
【０００１】
本発明は、分析装置と連動する前処理装置およびこれを備えた分析システムに関する。
【背景技術】
【０００２】
分析システムでは、試料を分析するにあたって前処理〜本分析〜後処理と様々な処理が実行される。これらの処理のそれぞれには、洗浄回数、測定回数、試薬の添加量など様々な設定を行う必要がある。しかし、これらの設定を行う従来の設定画面では、設定を行う処理名と設定情報を入力する入力画面が単に表示されるだけで、ユーザは、複数の処理のうち、どの処理の設定を行っているのかを認識するのが難しく、設定している処理の前後でどのような処理を行っているのかを把握することが難しい。
【０００３】
そこで、特許文献１では、装置に携わる様々なユーザの習熟度を問わず、全てのユーザにわかりやすく確実に実施させために作業フローを表示する自動分析装置が開示されている。この自動分析装置では、サンプルを自動的に分析して検査項目の濃度を求める装置であって、測定に必要な作業フローを複数の作業ステップで表示している。
【先行技術文献】
【特許文献】
【０００４】
【特許文献１】国際公開第２０１２／１６５２２９号
【発明の概要】
【発明が解決しようとする課題】
【０００５】
しかし、特許文献１の設定画面では、ワークフロー縮小表示面に処理の画面を示し、その処理の設定情報を入力する画面が表示される構成になっている。そのため、特許文献１の設定画面には、一連の処理を示すワークフローの全体が表示されるワークフロー最大表示が表示されず、処理の全体を確認しながら設定情報を入力することができない問題があった。
【０００６】
また、特許文献１では、ワークフロー最大表示で一連の処理を示すワークフローの全体を表示することはできるが、ある１つの処理のシャットダウン処理が含まれている場合、このシャットダウン処理については表示されない。さらに、このシャットダウン処理の設定情報を入力する画面を表示させるには、シャットダウン処理の上位の処理の設定画面を表示させる必要があった。つまり、シャットダウン処理の設定情報を入力する画面は、上位の処理の設定画面の入れ子になっており、ユーザがシャットダウン処理の設定を行う場合、設定作業が煩雑であり、シャットダウン処理の設定が可能であることを容易に認識することができない問題があった。
【０００７】
本発明は、上記のような実情に鑑みてなされたものであって、ある局面において、処理の全体を確認しながら設定情報を入力することができる前処理装置およびこれを備えた分析システムを提供することである。
【課題を解決するための手段】
【０００８】
本開示のある局面に従う前処理装置は、分析装置で分析する試料に対して前処理を行う前処理部と、分析条件の入力を受付ける分析条件入力部と、前記分析条件入力部により入力された前記分析条件を前記分析装置に送信する通信部と、前記前処理部を制御するとともに、前記分析装置に送信した前記分析条件に基づいて該分析装置を制御する制御部と、前記制御部で制御する前記前処理部および前記分析装置の設定情報を設定する設定部と、前記設定部で設定する前記設定情報を入力する設定情報入力部と、前記設定情報入力部で前記設定情報を入力するための設定画面を表示する表示部とを備え、前記表示部は、前記前処理部および前記分析装置の一連の処理それぞれのアイコンを、該一連の処理の実行順が特定可能となる態様で前記設定画面に表示し、前記前処理部および前記分析装置での処理がエラーが発生することなく終了した場合に実行する第１シャットダウン処理のアイコンと、前記前処理部および前記分析装置での処理中にエラーが発生して終了した場合に実行する第２シャットダウン処理のアイコンとを、前記一連の処理それぞれのアイコンに関連付けて表示し、前記一連の処理それぞれのアイコン、前記第１シャットダウン処理のアイコン、および前記第２シャットダウン処理のアイコンのうちいずれかがユーザにより選択されたときに、該選択されたアイコンに対応した処理の前記設定情報を入力する入力画面を前記設定画面に表示する。
【０００９】
これにより、設定画面でどの処理についての設定であるかの視覚的な表示することでユーザによる設定がより容易に行うことができる。さらに、入れ子状に設定画面が表示しないことで第１シャットダウン処理および第２シャットダウン処理の設定が可能であることをユーザに認識させることができる。
【００１０】
ある局面において、表示部は、前処理装置に連動させる分析装置の種別に応じて、処理に対応したアイコンの並び順を変更する。
【００１１】
これにより、連動させる分析装置の種別に応じて適切な設定が可能となり、設定する必要のある処理を一覧で確認することができる。
【００１２】
ある局面において、表示部は、前処理部および分析装置での実行順に関係なく、処理に対応したアイコンを選択して入力画面を表示すること可能である。
【００１３】
これにより、実行順に関係なく各処理での設定を行うことが可能となるので、ユーザが自由に設定することができる。
【００１４】
ある局面において、表示部は、設定画面に前処理部および分析装置での実行開始ボタンを表示し、前処理部および分析装置において設定される設定情報が入力されていない場合に実行開始ボタンが選択できない。
【００１５】
これにより、前処理部および分析装置において設定されていない状態で、前処理部および分析装置での処理が実行されてしまうことを防止することができる。
【００１６】
ある局面において、表示部は、設定画面に表示されるアイコンの並び順を任意に変更することができる。
【００１７】
これにより、ユーザの設定しやすい順にアイコンの並び順を変更することが可能となる。
【００１８】
ある局面において、表示部は、第１の処理の設定を行う入力画面で設定情報を入力した場合、第１の処理に関連する第２の処理の設定を行う入力画面において、あらかじめ設定情報を入力して表示する。
【００１９】
これにより、ユーザによる設定情報の入力作業を軽減することができる。
ある局面において、前記一連の処理は、前準備、検体分析、および後処理を含み、前記表示部は、前準備、検体分析、および後処理という実行順が特定可能となる態様で、前準備、検体分析、および後処理それぞれのアイコンを前記設定画面に表示する。
【００２０】
これにより、前準備、検体分析、および後処理の実行順をユーザに認識させることができるとともに、これらの処理それぞれの設定情報を入力させる入力画面を表示できる。
【００２１】
ある局面において、前記前処理装置および前記分析装置は、分析対象の試料が前記前処理装置に導入されていない状態で、少なくとも前記一連の処理を実行するダミー分析を実行可能であり、前記表示部は、前記ダミー分析のアイコンを前記設定画面に表示する。
【００２２】
これにより、分析対象の試料が前記前処理装置に導入されていない状態で、少なくとも前記一連の処理を実行するダミー分析を実行できるとともに、該ダミー分析の設定情報を入力させる入力画面を表示できる。
【００２３】
ある局面において、前記前処理装置および前記分析装置は、１の分析処理が終了したときから次の分析処理を実行するまでの間に待機処理を実行可能であり、前記表示部は、前記待機処理のアイコンを前記設定画面に表示する。
【００２４】
これにより、１の分析処理が終了したときから次の分析処理を実行するまでの間に待機処理を実行可能であり、待機処理の設定情報を入力させる入力画面を表示できる。
【００２５】
本開示のある局面に従う分析システムは、上記のいずれかに記載の前処理装置と、前処理装置と連動する分析装置とを備える。
【００２６】
これにより、上述の効果を奏する分析システムを提供できる。
【発明の効果】
【００２７】
この発明によれば、設定画面でどの処理についての設定であるかの視覚的な表示することでユーザによる設定がより容易に行うことができ、入れ子状に設定画面が表示しないことでシャットダウン処理の設定が可能であることをユーザに認識させることができる前処理装置およびこれを備えた分析システムを提供することができる。
【図面の簡単な説明】
【００２８】
【図１】本実施形態の分析システムの概略正面図である。
【図２】本実施形態の前処理装置のハードウェア構成例である。
【図３】本実施形態の分析システムの機能構成例である。
【図４】本実施形態の第１テーブルの一例を示す図である。
【図５】本実施形態の第２テーブルの一例を示す図である。
【図６】本実施形態の分析システムのフローチャートである。
【図７】本実施形態のトップ画面の一例である。
【図８】本実施形態のメニュー画面の一例である。
【図９】本実施形態のメニュー画面の一例である。
【図１０】本実施形態の設定画面の一例である。
【図１１】本実施形態の設定画面の一例である。
【図１２】本実施形態の設定画面の一例である。
【図１３】本実施形態の設定画面の一例である。
【図１４】本実施形態のトップ画面の一例である。
【図１５】本実施形態の検量線のグラフの一例を示す図である。
【図１６】本実施形態の第３テーブルの一例を示す図である。
【発明を実施するための形態】
【００２９】
以下、本発明の実施の形態について、図面を参照しながら詳細に説明する。なお、図中同一又は相当部分には同一符号を付してその説明は繰り返さない。
【００３０】
［分析システムの構成］
図１は、本実施形態に係る分析システム２０の構成例を示す概略正面図である。分析システム２０は、前処理装置１と、ＬＣ１００（液体クロマトグラフ）と、ＭＳ２００（質量分析装置）とを含む。ＬＣ１００（液体クロマトグラフ）と、ＭＳ２００（質量分析装置）とで、液体クロマトグラフ質量分析装置（ＬＣ／ＭＳ）を構成する。ＬＣ１００およびＭＳ２００をまとめて、分析装置２２０ともいう。前処理装置１が前処理を実行した試料は、分析装置２２０に順次導入されて分析が行われる。また、分析システム２０にはその他、演算処理装置９０（図３参照）を含むが、図１では省略している。
【００３１】
前処理装置１は、試料に対して所定の前処理を実行する。該前処理により抽出された試料は、ＬＣ１００に備えられたオートサンプラを介してＬＣ１００に導入される。このように、前処理装置１は、前処理装置１による前処理が行われた試料を分析装置２２０（ＬＣ１００）に搬送（導入する）搬送機構を有する。また、前処理装置１は、搬送機構を有さずに、搬送機構を有さずに、前処理が行われた試料を、ユーザの手作業により、分析装置２２０に導入するようにしてもよい。
【００３２】
ＬＣ１００には、カラム（図示せず）が備えられており、当該カラム内を試料が通過する過程で分離された試料成分が、ＭＳ２００に順次導入される。ＭＳ２００は、ＬＣ１００から導入された試料をイオン化するイオン化部と、イオン化された試料を分析する質量分析部などを備えている。質量分析部は、検量線を用いて、分析対象となる試料の濃度など分析して、該濃度を該分析結果として出力する。このように、分析装置２２０は、前処理装置１により前処理が実行された試料に対して分析処理を実行する。なお、該分析処理を「検体分析」ともいう。
【００３３】
前処理装置１は、種々の情報を表示する表示部１０を有する。表示部１０は典型的には、タッチパネルである。ユーザ（例えば、分析者）は、表示部１０の表示画面に対する操作により、前処理装置１および分析装置２２０の動作に関する入力などを行うことができる。ユーザは、例えば、図７〜図１４などの表示画面に表示される各ボタンなどをタッチ（操作）することにより、種々の画面に遷移させたり、種々の設定情報を入力することができる。
【００３４】
図２は、前処理装置１のハードウェア構成を示した図である。図２を参照して、前処理装置１は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、前処理装置１の外部装置と情報を通信する通信ＩＦ１０８（通信部ともいう。）とを含む。本実施形態では、外部装置は、図３に示す演算処理装置９０である。
【００３５】
前処理装置１は、種々の情報を表示する表示部１０と、ユーザからの入力を受付ける入力部１６と、前処理を行う前処理部１４とを含む。本実施形態では、表示部１０は、タッチパネルであることから、表示部１０と、入力部１６とは一体化される。なお、変形例として、表示部１０が、タッチパネルではなく、画面から情報の入力が行われない構成である場合には、表示部１０と入力部１６とは個別に構成される。
【００３６】
図３は、前処理装置１の機能構成例を示す図である。図３に示すように、前処理装置１は、制御部８４と、表示部１０と、記憶部１２と、前処理部１４と、入力部１６とを含む。制御部８４は、種々の制御を実行する。前述のように、表示部１０は種々の情報を表示する。前処理部１４は、前処理を実行する。前処理は、典型的には、例えば全血、血清、濾紙血、尿などの生体由来の試料に対して、試料分注、試薬分注、攪拌、濾過といった処理である。記憶部１２は種々の情報（後述するテーブルなど）を記憶する。入力部１６は、ユーザからの入力を受け付ける。入力部１６は、分析条件の入力をユーザから受付ける分析条件入力部として機能する。また、入力部１６は、設定部８４４で設定する設定情報を入力する設定情報入力部として機能する。
【００３７】
制御部８４は、さらに、処理制御部８４２と、設定部８４４と、取得部８４６との機能を有する。処理制御部８４２は、前処理部１４、および分析装置２２０を制御する。設定部８４４は、処理制御部８４２で制御する前処理部１４の設定情報、および分析装置２２０の設定情報を設定する。該設定情報は、例えば、ユーザにより入力部１６から入力される情報である。
【００３８】
前処理部１４は、該設定された設定情報などに基づいて前処理を実行する。分析装置２２０は、設定された設定情報に基づいて、分析処理を実行する。典型的には、後述するように、ユーザから分析条件が入力される。この分析条件は、前処理装置１の分析条件と、分析装置２２０の分析条件とを含む。
【００３９】
また、前処理装置１は、演算処理装置９０を介して、ＬＣ１００およびＭＳ２００（分析装置２２０）と種々の情報を通信可能である。演算処理装置９０は、典型的には、ＰＣ（personal computer）である。
【００４０】
［分析システムの処理について］
次に、分析システム２０の主要な処理を説明する。図４は、前処理装置１が、記憶する第１テーブルの一例である。図４の第１テーブルの例では、分析条件Ｅと、検量線Ｋとが対応づけられている。図４の例では、例えば、分析条件Ｅ１と、検量線Ｋ１とが対応づけられている。ユーザなどにより、分析条件と検量線とを更新する旨が入力された場合には、図４の第１テーブルは、該入力に応じて、更新される。第１テーブルの更新は、例えば、分析条件と検量線との組合せの増加、および分析条件と検量線との組合せの減少である。検量線の作成については、ユーザにより分析条件が入力されるとともに、ユーザにより前処理装置１に対して基準試料が導入される。その後、ユーザにより、検量線を作成する操作が入力されると、分析システム２０は、該分析条件と基準試料に基づいて、検量線を作成する。
【００４１】
図５は、前処理装置１が記憶する第２テーブルの一例である。図５の第２テーブルでは、分析条件Ｅおよび検量線識別情報Ｉ（検量線ＩＤ（identification）ともいう。）に、検量線Ｋと、検量線作成日時Ｔと、基準試料識別情報Ｈ（基準試料ＩＤともいう。）と、分析結果Ｊと、分析日時Ｓとが対応づけられて記憶される。図４の例では、分析条件Ｅ１および検量線識別情報Ｉに、分析条件Ｅ１と、検量線Ｋ１と、検量線作成日時Ｔ１と、基準試料識別情報Ｈ１と、分析結果Ｊ１と、分析日時Ｓ１とが対応づけられている。図４に示す第１テーブルと図５に示す第２テーブルとは共に記憶部１２に記憶される。
【００４２】
分析条件Ｅは、試料などが注入されるプローブなどの位置、および前処理装置１と分析装置２２０が試料を分析する際の条件（設定）を示す情報である。検量線識別情報Ｉは、検量線を識別するための情報である。検量線作成日時は、分析システム２０により検量線が作成された日時である。基準試料識別情報Ｈは、検量線を作成するために用いられた試料（基準試料）に関する情報である。基準試料識別情報Ｈは、典型的には、基準試料を識別するための情報である。分析結果Ｊは、分析システム２０により導出された、分析対象の試料の分析結果である。本実施形態では、分析結果は、例えば、分析対象の試料の濃度である。分析日時Ｓは、分析結果が分析システム２０により導出された日時である。
【００４３】
図６は、前処理装置１と、分析装置２２０との処理の一例を示すフローチャートである。図６を参照して、前処理装置１と、分析装置２２０との処理の一例を説明する。ステップＳ２において、前処理装置１の制御部８４は、ユーザにより分析条件が入力されたか否かを判断する。ここで、分析条件については、ユーザは、例えば、後述する図７のトップ画面から入力する。
【００４４】
次に、ステップＳ４において、制御部８４は、後述の図５に示される検体分析についての実行開始ボタン５１４が操作されたか否かを判断する。取得部８４６は、図４の第１テーブルを参照して、ステップＳ２で入力された分析条件に対応する検量線を取得する。ステップＳ６において、制御部８４は、ステップＳ２で入力された分析条件と、該分析条件に対応する検量線とを分析装置２２０に送信する。
【００４５】
ステップＳ８において、分析装置２２０は、分析条件と、検量線とを受信する。ステップＳ１０において、分析装置２２０は、ステップＳ８で受信した分析条件に基づいて、ステップＳ８で受信した検量線を用いて、試料に対して分析処理を実行する。
【００４６】
ステップＳ１０では、まず、分析装置２２０は、分析条件に基づいて、分析データを算出する。分析データは典型的には、面積値（ピークの大きさ）である。さらに、分析装置２２０は、検量線（後述の図１５参照）に基づいて、分析結果を導出する。分析結果は、典型的には、濃度である。
【００４７】
なお、分析データ、および分析結果をそれぞれ第１パラメータ、第２パラメータという場合もある。
【００４８】
ステップＳ１２において、分析装置２２０は、ステップＳ１０での分析結果を前処理装置１に対して送信する。ステップＳ１４において、制御部８４は、分析結果を受信する。ステップＳ１５において、取得部８４６は、該ステップＳ１４で受信した分析結果を取得する。ステップＳ１５において、取得部８４６は、さらに、ステップＳ６で送信した検量線と、該検量線に関する検量線情報を取得する。ここで、検量線情報は、検量線そのもののグラフ（つまり、検量線Ｋ）、および該検量線に関連する情報を含む。検量線に関連する情報は、例えば、検量線を識別するための検量線識別情報Ｉ、検量線が作成された検量線作成日時Ｔ、該検量線を作成するために用いられた基準試料識別情報Ｈを含む。
【００４９】
次に、ステップＳ１６において、制御部８４は、ステップＳ１５で取得した、分析結果および検量線情報を対応づけて記憶する。制御部８４は、ステップＳ１６の処理を実行することにより、図５に示した第２テーブルを増加更新する。
【００５０】
［表示画面について］
次に、表示部１０の表示領域１０Ａに表示される表示画面の一例を図７〜図１４を用いて説明する。図７は、表示部１０が表示するトップ画面の一例を示す図である。図７の例では、分析結果関連情報エリア３０８と、検量線情報表示エリア４００とが設けられている。図７の例では、開始ボタン３０４と、分析結果関連情報エリア３０８に検体識別情報（検体ＩＤともいう。）などが表示される。
【００５１】
表示部１０は、分析結果関連情報エリア３０８に、分析結果関連情報３０２を１以上表示する。１の分析結果関連情報３０２は、検体識別情報Ｘ（検体ＩＤ）と、分析条件Ｅと、分析日時Ｓ、分析結果Ｊとを含む。図７の例では、分析結果関連情報エリア３０８のうちの１つのセルに、検体識別情報Ｘと、分析条件Ｅと、分析日時Ｓとが表示される。
【００５２】
また、該１つのセルに隣接するセルに、分析結果Ｊが表示される。分析結果関連情報エリア３０８では、検体ＩＤと、図５の第２テーブルに基づいて、分析条件Ｅと、分析日時Ｓと、分析結果Ｊとが表示される。検体ＩＤは、例えば、ステップＳ４で検体分析の実行開始ボタンが操作されたときに、付与されるＩＤである。つまり、検体ＩＤは、１回の検体分析を一意に識別するためのＩＤである。ユーザは、検体ＩＤに変えて分析した試料の名称などを入力することもできる。
【００５３】
図７のトップ画面の右下には、検量線情報表示エリア４００が設けられている。この検量線情報表示エリア４００については図１４で後述する。ユーザは、図７のトップ画面の分析条件入力ボタン（特に図示せず）を操作することにより、図６のステップＳ２で説明した分析条件を入力することができる。
【００５４】
ユーザは、前処理装置１および分析装置２２０による分析処理を開始させるときには、開始ボタン３０４を押す。制御部８４は、開始ボタン３０４が押されると、メニュー画面に遷移させる。図８は、本実施形態のメニュー画面の一例である。
【００５５】
図８のメニュー画面は、分析システム２０による一連の処理のアイコンが、前処理部１４および分析装置２２０での実行順に表示された画面である。図８の例において、前処理部１４および分析装置２２０での処理は、前準備、ダミー分析、検体分析、後処理、第１シャットダウン、待機、第２シャットダウンである。前処理部１４および分析装置２２０は、前準備、ダミー分析、検体分析、後処理、第１シャットダウン、待機の順序で処理を実行する。図８の例では、前準備アイコン５０２と、ダミー分析アイコン５０４と、検体分析アイコン５０６と、後処理アイコン５０８と、第１シャットダウンアイコン５１０と、待機アイコン５１２と、第２シャットダウンアイコン５１８が表示される。これらのアイコンをまとめてアイコン群ともいう。
【００５６】
また、前準備、検体分析、および後処理を、まとめて、「一連の処理」ともいう。一連の処理と、ダミー分析と、第１シャットダウンと、第２シャットダウンとをまとめて、「全ての処理」ともいう。つまり、表示部１０は、一連の処理（前準備、検体分析、および後処理）それぞれのアイコン（前準備アイコン５０２と、検体分析アイコン５０６と、後処理アイコン５０８）と、第１シャットダウンアイコン５１０と、第２シャットダウンアイコン５１８と、待機アイコン５１２とを表示する。
【００５７】
さらに、表示部１０は、一連の処理それぞれのアイコンを、該一連の処理（全ての処理）の実行順が特定可能となる態様で表示画面（メニュー画面、後述の設定画面５３５など）を表示する。図８の例では、表示部１０は、前処理部１４および分析装置２２０での実行順通りに、左から、前準備アイコン５０２と、ダミー分析アイコン５０４と、検体分析アイコン５０６と、後処理アイコン５０８と、第１シャットダウンアイコン５１０と、待機アイコン５１２とが表示される。また、隣接するアイコン同士が線画像により結ばれている。
【００５８】
なお、変形例として、全ての処理の実行順が特定可能となる態様は、他の態様としてもよい。他の態様は、例えば、前準備アイコン５０２と、ダミー分析アイコン５０４と、検体分析アイコン５０６と、後処理アイコン５０８と、第１シャットダウンアイコン５１０と、待機アイコン５１２とにそれぞれに、実行順の番号を付加して表示する態様としてもよい。
【００５９】
前準備アイコン５０２は、前準備に対応するアイコンである。ダミー分析アイコン５０４は、ダミー分析に対応するアイコンである。検体分析アイコン５０６は、検体分析に対応するアイコンである。後処理アイコン５０８は、後処理に対応するアイコンである。第１シャットダウンアイコン５１０は、第１シャットダウンに対応するアイコンである。待機アイコン５１２は、待機処理に対応するアイコンである。第２シャットダウンアイコン５１８は、第２シャットダウンに対応するアイコンである。
【００６０】
アイコン群のうちの１つのアイコンがユーザにより選択されると（ユーザによりタッチされると）、表示部１０は、選択されていないアイコンの表示態様とは異なるように、該選択されたアイコンの表示態様を異ならせて表示する（ハイライト表示する）。典型的には、表示部１０は、選択されていないアイコンの表示態様（例えば、色）とは異なるように、該選択されたアイコンを表示する。この表示により、ユーザは、自分が選択したアイコンを認識できる。
【００６１】
前準備と、後処理とは、前処理装置１の処理である。また、検体分析は、前処理装置１と分析装置２２０の処理である。
【００６２】
分析システム２０は、前処理装置１および分析装置２２０により試料を分析する処理（分析処理）を、検体分析として実行する。分析システム２０は、その検体分析の前に、前準備、およびダミー分析を実行することができる。
【００６３】
前準備は、前処理装置１内の試料が注入されるプローブ（特に図示せず）を洗浄する処理などを含む。この前処理により、例えば、プローブに不純物が混入していた場合であっても、該不純物を除去できる。
【００６４】
次に、ダミー分析について説明する。例えば、移動相の切替時、カラム切替時、グラジエント初期濃度が変更されたときには、カラム内には切替前の移動相が満たされており、正しく分析できない場合がある。そこで、ダミー分析を実行することにより、インジェクション無し（例えば、試料無し）での分析を実行し、試料の分析前にカラムの平衡化を図ることができる。換言すれば、ダミー分析は、試料を導入させたときと同一の処理を、分析システム２０に試料を導入させないで分析システム２０に実行させる処理である。換言すれば、ダミー分析は、分析対象の試料が前処理装置１に導入されていない状態で、上述した全ての処理（または一連の処理）を実行する処理である。
【００６５】
検体分析は上述の通り、前処理装置１および分析装置２２０により試料を分析する処理である。後処理は、検体分析が終了したときに、前処理装置１内の試料が注入されたプローブ（特に図示せず）を洗浄する処理などを含む。この後処理により、プローブに試料などが残存することを防ぐことができる。
【００６６】
第１シャットダウン処理は、エラーが発生することなく分析システム２０による検体分析が終了し、後処理が終了した後に実行される処理である。第１シャットダウン処理により、前処理装置１の処理は停止される（シャットダウンされる）。なお、第１シャットダウン処理により、前処理装置１と分析装置２２０の双方をシャットダウンするようにしてもよい。
【００６７】
待機処理は、１の検体分析が終了したときから次の検体分析を実行するまでの間に分析システム２０を待機させる処理である。例えば、待機処理は、１検体分析が終了して、次の検体分析をスムーズに開始させるための処理である。
【００６８】
第２シャットダウン処理は、前処理装置１および分析装置２２０による検体分析中に、エラーが発生したときに、前処理装置１および分析装置２２０の処理を停止させる処理である。これにより、エラーが発生している状態であるにもかかわらず、分析処理が継続されることを防止できる。また、検体分析アイコン５０６と、第２シャットダウンアイコンとは線画像５１３で結ばれている。これにより、第２シャットダウンは、検体分析中のシャットダウンであること（つまり、検体分析中にエラーが生じた場合にシャットダウンされること）をユーザに直感的に認識させることができる。
【００６９】
図８の画面では、前処理装置１の使用情報を入力できる入力画像５１７が表示される。入力画像５１７からは、前処理装置１において、設置容器数等を設定できる。
【００７０】
図８の画面では、前処理装置１および分析装置２２０の使用に当たって、ユーザに注意を促す注意画像５１９（チェック項目）が表示される。注意画像５１９は、例えば、分析システム２０を使用するに当たって、ユーザに注意喚起するための画像である。図８の注意画像５１９では、「前準備、後処理、または検体分析を選択してください」という文言が表示される。これにより、前準備、後処理、または検体分析を選択することを、ユーザに対して促進することができる。その他、注意画像５１９には、「ろ過容器セットを必要数設置してください」といった文言が表示される。
【００７１】
表示部１０は、前処理部および分析装置２２０での処理を実行させるための実行開始ボタン５１４を、図８の設定画面に表示する。ユーザによりアイコンが選択された状態で、この実行開始ボタン５１４が選択されると、該選択されたアイコンに対応する処理が実行される。
【００７２】
しかしながら、一連の処理（前準備、後処理、または検体分析）それぞれに対応するアイコンである前準備アイコン５０２、後処理アイコン５０８、および検体分析アイコン５０６のいずれも選択されていない状態では、実行開始ボタン５１４が選択できないようになっている。「実行開始ボタン５１４が選択できない」とは、「前処理装置１が、ユーザによる実行開始ボタン５１４への操作を受付けない」ということである。
【００７３】
図８の例では、実行開始ボタン５１４に×画像５１４ａが表示され、この×画像５１４ａは、ユーザに対して、実行開始ボタン５１４が選択できないことを認識させるための画像（オブジェクト）である。なお、変形例として、表示部１０は、実行開始ボタン５１４を選択できない表示として、他の表示を行うようにしてもよい。例えば、実行開始ボタン５１４を他のアイコンなどよりも薄く表示するようにしてもよい。
【００７４】
ユーザにより、該ユーザが所望する処理に対応するアイコンが選択された状態で、実行開始ボタン５１４が操作されたときには、選択されたアイコンに対応する処理を分析システム２０に実行させることができる。
【００７５】
図９は、アイコンが選択された状態を示す図である。図９の例では、ユーザにより選択されたアイコンの外枠を太線で示す。図９の例では、前準備と、検体分析と、後処理とが選択された状態を示す。本実施形態の分析システム２０は、実行を開始させる処理を１以上、ユーザは選択することができる。換言すれば、本実施形態の分析システム２０は、実行を開始させる処理に対応するアイコンを１以上、ユーザは選択することができる。表示部１０は、選択されたアイコンは、他のアイコンと異なる態様で表示する。図９などの例では、表示部１０は、選択されたアイコンの枠線を、他のアイコンよりも太く表示する。なお、変形例として、表示部１０は、選択されたアイコンを他のアイコンとは色を変えて表示するようにしてもよい。
【００７６】
このように、分析システム２０は、ユーザにより選択された１以上の処理を実行させることができる。
【００７７】
次に、図８に示す設定ボタン５１６を説明する。制御部８４は、ユーザにより、設定ボタン５１６が操作されると、設定画面を表示する。図１０は、設定画面５３５の一例を示す図である。図１０の設定画面５３５では、図９と同一のアイコン群（前準備アイコン５０２と、ダミー分析アイコン５０４と、検体分析アイコン５０６と、後処理アイコン５０８と、第１シャットダウンアイコン５１０と、待機アイコン５１２と、第２シャットダウンアイコン５１８）が、図９の表示態様と同一の態様で表示される。
【００７８】
また、表示部１０は、設定画面５３５において、選択されたアイコンを、他のアイコンと異なる態様で表示した状態で、該選択されたアイコンに対応する入力画面を表示する。
【００７９】
さらに、本実施形態では、設定画面５３５に、予め定められた処理の入力画面も表示される。図１０の例では、予め定められた処理は、前準備である。つまり、図１０の例では、設定画面５３５に、前準備の入力画面５０２Ａも表示される。
【００８０】
前準備の入力画面５０２Ａとは、前準備の設定情報をユーザが入力するための画面である。前準備の設定情報は、例えば、前処理装置１が有する部材（例えば、図示しないプローブ）を洗浄する方法（メソッド）を設定するための設定情報である。入力画面５０２Ａの例では、プローブを洗浄する方法として、プローブの洗浄回数、プローブの液洗剤名の種別などを、設定情報として入力可能な画面を含む。また、本実施形態の入力画面では、黒色の三角マークが表示され、該三角マークが選択されると、該三角マークが表示されている項目の一覧が表示される。ユーザは、この一覧から所望の項目を選択できる。
【００８１】
入力画面の他に、デフォルト登録ボタン５２４、デフォルト戻しボタン５２６、保存ボタン５２８、閉じるボタン５３０が表示される。
【００８２】
デフォルト登録ボタン５２４は、現在、入力画面で入力されている設定情報をデフォルトとして登録するためのボタンである。ユーザによりデフォルト登録ボタン５２４が操作されると、制御部８４は、入力画面で入力されている設定情報をデフォルトの情報として記憶部１２に記憶させる。
【００８３】
デフォルト戻しボタン５２６は、現在、入力画面で入力されている設定情報をデフォルト値に戻すためのボタンである。ユーザによりデフォルト戻しボタン５２６が操作されると、制御部８４は、記憶部１２からデフォルト値を取得し、該デフォルト値を入力画面に反映させる。
【００８４】
保存ボタン５２８は、現在、入力画面で入力されている設定情報を保存するためのボタンである。ユーザにより保存ボタン５２８が操作されると、設定部８４４は、該保存ボタン５２８が操作されたときの設定情報を設定する。これにより、分析システム２０は、該設定された設定情報に基づいて、一連の処理（または全ての処理）などを実行する。この保存された設定情報は、検体分析が１回実行されると、消去される。
【００８５】
閉じるボタン５３０は、設定画面を閉じるためのボタンである。ユーザにより閉じるボタン５３０が操作されたときには、メニュー画面（図８参照）に戻る。
【００８６】
設定画面５３５が表示されている状態で、ユーザにより他の処理に対応するアイコンが選択された場合には、該選択されたアイコンに対応する処理の入力画面が表示される。
【００８７】
図１１は、ユーザにより、ダミー分析に対応するダミー分析アイコン５０４が選択されたときのダミー分析入力画面５０４Ａが表示された例を示す図である。図１１の例では、ダミー分析入力画面５０４Ａが表示される。ダミー分析入力画面５０４Ａでは、ダミー分析用メソッドが入力される画像５２０と、ダミー分析の繰返し回数（ダミー分析の実行回数）が入力される画像５２２とが表示される。
【００８８】
ダミー分析用メソッドは、ダミー分析中における前処理装置１および分析装置２２０が有する部材の処理などを設定することである。例えば、ダミー分析用メソッドは、ＬＣ１００のＬＣ移動相のポンプの流量、およびＬＣ１００の温度等を調整することである。
【００８９】
図１２は、ユーザにより、第２シャットダウンアイコン５１８が選択されたときの第２シャットダウン入力画面５１８Ａが表示された例を示す図である。図１２の例では、第２シャットダウン入力画面５１８Ａでは、第２シャットダウンメソッド画像５５０と、ＬＣ用画像５５２と、ＭＳ用画像５５４とが表示される。
【００９０】
第２シャットダウンメソッド画像５５０は、第２シャットダウンメソッドがユーザにより入力される画像である。第２シャットダウンメソッドは、分析システム２０の分析中に、エラーが生じた場合のシャットダウンのメソッドである。
【００９１】
第２シャットダウンメソッドは、例えば、エラーが発生したときから、後述のＬＣ用画像５５２およびＭＳ用画像５５４で設定された処理が実行されるまでの期間を決定することである。
【００９２】
ＬＣ用画像５５２は、第２シャットダウンを実行する際の、ＬＣ１００の各構成部の制御を入力するための画像である。図１２の例では、ＬＣ用画像５５２は、例えば、ＬＣ１００のポンプをオフにするか否かを入力する画像と、カラムオーブンをオフにするか否かを入力する画像とを含む。
【００９３】
ＭＳ用画像５５４は、第２シャットダウンを実行する際の、ＭＳ２００の各構成部の制御を入力するための画像である。図１２の例では、ＭＳ用画像５５４は、例えば、ＭＳ２００のネブライザーガスをオフにするか否かを入力する画像などを含む。
【００９４】
なお、本実施形態では、ＬＣ用画像５５２、およびＭＳ用画像５５４については、チェックボックスで設定情報を入力する仕様となっている。
【００９５】
図１３は、ユーザにより、待機アイコン５１２が選択されたときの待機入力画面５１２Ａが表示された例を示す図である。図１３の例では、待機入力画面５１２Ａでは、待機用メソッド画像５６０と、ＬＣ用画像５６２と、ＭＳ用画像５６４とが表示される。
【００９６】
待機用メソッド画像５６０は、待機用メソッドがユーザにより入力される画像である。待機用メソッドは、１の検体分析が終了したときから次の検体分析を実行するまでの間での待機中において分析システム２０を停止させる手法である。換言すれば、待機用メソッドは、１の検体分析が終了したときにおいて、次の検体分析を分析システム２０（または分析装置２２０）にスムーズに開始させるための手法を特定するものである。さらに換言すれば、待機用メソッドは、１の検体分析が終了したときにおいて、前処理装置１および分析装置２２０のうち少なくとも１つの構成部をスリープ状態にするか否かを規定するメソッドである。典型的には、待機用メソッドは、「ＬＣ１００が有するポンプに微量の物質を送出させておくことにより、次の検体分析を開始する際に、スムーズにポンプの駆動を開始させる処理」を実行させるか否かを規定するメソッドを含む。本実施形態の待機用メソッドは、第２シャットダウンメソッドと同一である。なお、変形例として、本実施形態の待機用メソッドは、第２シャットダウンメソッドと異なるようにしてもよい。ＬＣ用画像５６２と、ＭＳ用画像５６４とは、それぞれ、図１２で説明したＬＣ用画像５５２と、ＭＳ用画像５５４と同一である。
【００９７】
なお、検体分析についての設定情報の入力画面を特に図示していない。検体分析についての入力画面は、例えば、試料のバーコードを読み取って入力するバーコード入力を設定するか否かを入力する画像などを含む。
【００９８】
後処理についての設定情報の入力画面は、例えば、図１０に示す前処理についての入力画面と同一である。また、第１シャットダウン処理についての入力画面は、例えば、図１２に示す第２シャットダウン処理についての入力画面と同一である。第１シャットダウン処理のシャットダウンメソッドは、分析装置２２０の構成部を洗浄するか否かを規定するメソッドなどを含む。なお、第１シャットダウンのシャットダウンメソッドと、第２シャットダウンのシャットダウンメソッドとを同一としてもよい。
【００９９】
なお、図８および図９の画面は、設定画面５３５の１つ前の画面であることから、「設定前画面」ともいう。
【０１００】
説明を図７に戻す。図７のトップ画面において、図７に示す複数の分析結果関連情報３０２のうちの１つの分析結果関連情報３０２をユーザは選択することができる。例えば、複数の分析結果関連情報３０２のうちの１つの分析結果関連情報３０２の領域をユーザがタッチすると、該１つの分析結果関連情報３０２が選択される。該１つの分析結果関連情報３０２が選択された場合には、表示部１０は、該１つの分析結果関連情報３０２に対応する検量線情報を表示する。
【０１０１】
図１４は、検量線情報が表示されたときのトップ画面の一例を示す図である。なお、図１４では、選択された分析結果関連情報３０２の枠線を太線で示している。図１４の例では、検体ＩＤがＸ２の分析結果関連情報３０２が選択されている。
【０１０２】
分析結果関連情報３０２に対応する検量線情報４１０は、検量線情報表示エリア４００に表示される。入力部１６が１の分析結果関連情報３０２の選択を受付けると、制御部８４は、該１の分析結果関連情報３０２のうちの分析条件Ｅ（図１４の例では、分析条件Ｅ２）を抽出する。制御部８４は、第２テーブル（図５参照）を参照して、第２テーブルのうち、該抽出した分析条件Ｅ２に対応する検量線情報、つまり、検量線作成日時Ｔ２と、検量線識別情報Ｉ２と、基準試料識別情報Ｈ２とを抽出する。表示部１０は、分析情報Ｅ２とともに、該抽出した検量線作成日時Ｔ２と、検量線識別情報Ｉ２と、基準試料識別情報Ｈ２とを検量線情報表示エリア４００に、検量線情報４１０として表示する。
【０１０３】
さらに、ユーザは、検量線情報表示エリア４００を選択することができる。制御部８４は、検量線情報表示エリア４００が選択されると、該検量線情報表示エリア４００で表示されていた検量線ＩＤの検量線（検量線グラフ）を表示する。
【０１０４】
図１５は、検量線（検量線グラフ）の一例を示した図である。図１５は、検量線識別情報Ｉ２の検量線を示すグラフ６０２を示す図である。図１５の例では、横軸が面積値であり、縦軸が濃度である。図１５の例では、検量線を示すグラフ６０２と、該検量線が作成される際の分析結果６０４とを関連付けて同一画面に表示する。複数の分析結果６０４に基づいて、検量線を示すグラフ６０２が作成される。これにより、ユーザは、検量線のグラフと、該検量線のグラフが作成されたときの分析結果６０４とのズレを容易に認識することができる。
【０１０５】
［本実施形態の効果］
次に、本実施形態の前処理装置１、および分析システム２０が有する構成、および奏する効果を説明する。
【０１０６】
（１−１）  図１０〜図１３に示すように、表示部１０は、前処理装置１および分析装置２２０での実行順に処理をアイコン化した設定画面５３５を表示する。設定画面５３５では、一連の処理のアイコンとして、前準備アイコン５０２と、検体分析アイコン５０６と、後処理アイコン５０８とが表示される。
【０１０７】
さらに、表示部１０は、前処理部１４および分析装置２２０での処理がエラーが発生することなく終了した場合に実行する第１シャットダウン処理の第１シャットダウンアイコン５１０を表示する。さらに、表示部１０は、前処理部１４および分析装置２２０での処理がエラーが発生した場合に実行する第２シャットダウン処理の第２シャットダウンアイコン５１８を表示する。
【０１０８】
また、図１０〜図１３に示すように、表示部１０は、一連の処理それぞれのアイコン、第１シャットダウンアイコン５１０、および第２シャットダウンアイコン５１８のうちいずれかがユーザにより選択されたときに、該選択されたアイコンに対応した処理の設定情報を入力する入力画面を表示する。例えば、選択されたアイコンが、他のアイコンとは異なる態様で表示される状態で、入力画面を表示する。例えば、図１０の設定画面では、前準備アイコン５０２が選択されていることを表示し、かつ、該前準備アイコン５０２に対応する処理である前準備の設定情報を入力するための入力画面５０２Ａを表示する。
【０１０９】
これにより、表示部１０は、設定画面５３５でどの処理についての設定であるかの視覚的な表示を行うことで、ユーザは、設定情報の入力をより容易に行うことができる。さらに、表示部１０は、入れ子状に設定画面を表示しないことで、第１シャットダウンおよび第２シャットダウンの設定が可能であることをユーザに認識させることができる。
【０１１０】
さらに、第２シャットダウンアイコン５１８は、検体分析アイコン５０６に関連付けて表示される。特に、本実施形態では、検体分析アイコン５０６と、第２シャットダウンアイコン５１８とが線画像５１３で結ばれて表示されている。この線画像５１３により、「前処理装置１および分析装置２２０により実行される検体分析の途中でエラーが発生した場合に第２シャットダウンが実行されること」、および「該第２シャットダウンの設定情報の入力が、前処理装置１で可能であること」をユーザに直感的に認識させることができる。
【０１１１】
また、第１シャットダウンアイコン５１０は、後処理アイコン５０８の次に、後処理アイコン５０８と関連付けて表示される。特に、本実施形態では、後処理アイコン５０８と、第１シャットダウンアイコン５１０とが線画像で結ばれて表示されている。この線画像により、検体分析のシャットダウン処理の設定情報の入力が、前処理装置１で可能であることをユーザにさらに直感的に認識させることができる。これにより、「エラーが発生することなく、前処理装置１および分析装置２２０による検体分析が終了した場合に第１シャットダウンが実行されること」、および「該第１シャットダウンの設定情報の入力が、前処理装置１で可能であること」をユーザに直感的に認識させることができる。
【０１１２】
（１−２）  図１０〜図１３の通り、表示部１０は、前処理部１４および分析装置２２０での処理を実行順に表示する。一方で、前処理部１４および分析装置２２０での実行順に関係なく、ユーザは、処理に対応したアイコンを選択することにより、入力画面を表示することが可能である。
【０１１３】
例えば、ユーザは、ダミー分析の入力画面の表示の前に、後処理アイコン５０８を選択することにより、後処理の入力画面を表示させて、該入力画面から設定情報を入力させることが可能である。
【０１１４】
これにより、前処理部１４および分析装置２２０の実行順に関係なく各処理での設定を行うことが可能となるので、ユーザによる設定の自由度を向上させることができる。
【０１１５】
（１−３）  表示部１０は、前処理部１４および分析装置２２０での実行開始ボタン５１４を設定画面５３５に表示する。また、前処理部１４（前処理装置１）および分析装置２２０において設定される設定情報が入力されていない場合に実行開始ボタン５１４が選択できないようになっている。
【０１１６】
本実施形態では、図８に示すように、実行開始ボタン５１４に×画像５１４ａを表示させることにより、実行開始ボタン５１４が選択できないことを、ユーザに認識させることができる。
【０１１７】
これにより、前処理部１４および分析装置２２０において設定情報が設定されていない状態で、前処理部１４および分析装置２２０での処理が実行されてしまうことを防止することができる。
【０１１８】
（１−４）  また、本実施形態では、分析装置２２０の分析処理に必要な処理の設定情報の入力画面が入力されて、該入力画面から、該処理の設定情報が入力されたときに、×画像５１４ａが消去されて、ユーザは、実行開始ボタン５１４を選択可能となる。分析装置２２０の分析処理に必要な処理は、予め定められた処理である。本実施形態では、該必要な処理は、前準備、検体分析、後処理である。これらの処理のうち、少なくとも１つの処理の設定情報が入力されたときに、実行開始ボタン５１４が選択可能となる。実行開始ボタン５１４が選択可能とは、実行開始ボタン５１４の×画像５１４ａが消去される。
【０１１９】
これにより、「前処理部１４および分析装置２２０で実行される処理での設定情報の入力が完了した後に、前処理部１４および分析装置２２０での処理を実行させること」を担保できる。
【０１２０】
（１−５）  また、図８および図９で説明したように、前処理装置１および分析装置２２０による一連の処理などを含む全ての処理（前準備、ダミー分析、検体分析、後処理、第１シャットダウン、待機処理、第２シャットダウン）のうちのユーザが所望する処理のみを実行させることができる。例えば、該全ての処理それぞれのアイコンのうち、ユーザは、所望する処理に対応するアイコンを選択して、実行開始ボタン５１４を操作する。これにより、ユーザは、全ての処理のうちのユーザが所望する処理を分析システム２０に実行させることができる。
【０１２１】
（１−６）  また、前処理以外の処理の入力画面については、図８に示すメニュー画面（設定前画面）が表示されている状態で設定ボタン５１６が操作されたときに設定画面５３５が表示される。さらに、図１１〜図１３に示すように、該設定画面５３５が表示された状態でかつ該処理に対応するアイコンが選択されたときに、該選択されたアイコンに対応する処理の入力画面は、表示される。
【０１２２】
一方、前処理の入力画面については、図８に示すメニュー画面（設定前画面）が表示されている状態で設定ボタン５１６が操作されたときに設定画面５３５が表示され、該設定画面５３５で表示される。このように、前処理装置１および分析装置２２０による一連の処理（全ての処理）の最初の処理（前処理）の入力画面については、該前準備アイコン５０２が操作されなくても、表示される。したがって、「該前処理の入力画面が、前準備アイコン５０２を選択した状態で設定ボタン５１６を操作したときに表示される前処理装置」と比較して、前処理の入力画像を表示させる際のユーザの負担を軽減できる。
【０１２３】
なお、変形例として、図８に示すメニュー画面（設定前画面）が表示されている状態で設定ボタン５１６が操作されたときに設定画面５３５が表示され、該設定画面５３５で表示される入力画面に対応する処理は、他の処理（例えば、検体分析）としてもよい。このように該処理は、予め定められた処理であれば如何なる処理であってもよい。
【０１２４】
（１−７）  また、図８および図９に示すように、設定前画像において、分析システム２０を使用するに当たって、ユーザに注意喚起するための注意画像５１９が表示される。また、設定前画像は、分析システム２０が分析処理を行うために必ず表示される画像である。このように、前処理装置１は、分析システム２０が分析処理を行うために必ず表示される設定前画像において、注意画像５１９を表示することができる。したがって、ユーザに注意画像５１９を認識させやすくすることができる。
【０１２５】
（１−８）  また、一連の処理は、前準備、検体分析、および後処理である。また、表示部１０は、前準備、検体分析、および後処理という実行順が特定可能となる態様で、前準備、検体分析、および後処理それぞれのアイコン（前準備アイコン５０２，検体分析アイコン５０６，後処理アイコン５０８）を設定画面５３５に表示する。したがって、分析システム２０により、前準備、検体分析、および後処理がこの順序で実行されることをユーザに直感的に認識させることができる。さらに、「前処理装置１および分析装置２２０により実行される検体分析の途中でエラーが発生した場合に第２シャットダウンが実行されること」、および「該第２シャットダウンの設定情報の入力が、前処理装置１で可能であること」をユーザに直感的に認識させることができる。
【０１２６】
（１−９）  また、前処理装置１および分析装置２２０は、分析対象の試料が前処理装置１に導入されていない状態で、少なくとも一連の処理を実行するダミー分析を実行可能であり、表示部１０は、ダミー分析のダミー分析アイコン５０４を設定画面５３５に表示する。
【０１２７】
これにより、分析対象の試料が前処理装置１に導入されていない状態で、少なくとも前記一連の処理を実行するダミー分析を実行できるとともに、該ダミー分析の設定情報を入力させる入力画面（図１１参照）を表示できる。
【０１２８】
ダミー分析における少なくとも一連の処理とは、たとえば、一連の処理としてもよく、全体の処理としてもよい。
【０１２９】
（１−１０）  また、前処理装置１および分析装置２２０は、１の分析処理が終了したときから次の分析処理を実行するまでの間に待機処理を実行可能であり、表示部１０は、待機処理の待機アイコン５１２を設定画面５３５に表示する。
【０１３０】
これにより、１の分析処理が終了したときから次の分析処理を実行するまでの間に待機処理を実行可能であり、待機処理の設定情報を入力させる入力画面（図１３参照）を表示できる。
【０１３１】
（２−１）  取得部８４６は、図６のステップＳ１５において、分析装置２２０が試料の分析に用いた検量線に関する検量線情報と、該検量線を用いた分析装置２２０による分析結果とを取得する。検量線を用いた分析装置２２０による分析結果は、ステップＳ１０において、分析装置２２０により求められる。
【０１３２】
その後、ステップＳ１６において、制御部８４は、取得部８４６が取得した検量線情報および分析結果を対応付けて、第２テーブル（図５参照）に記憶させる。その後、図１４に示すように、制御部８４は、分析結果と、該分析結果に対応する検量線情報とを同一画面に表示する。
【０１３３】
例えば、ユーザが試料の分析が終了した時点では、該分析の分析結果が誤りであることを認識できなかったが、後ほど（例えば、数日後）、該分析結果が誤りであることが判明する場合がある。
【０１３４】
この場合に、従来では、ユーザは、検量線の一覧が表示される画面に遷移させて、かつ誤りであると判明された分析結果に対応する検量線を検索する必要があった。したがって、ユーザに負担を強いるものであった。
【０１３５】
そこで、本実施形態の表示部１０は、分析結果Ｊと、検量線情報４１０とを同一画面に表示する。したがって、ユーザが試料の分析が終了した後（例えば、数日後）、該分析結果が誤りであることが判明した場合であっても、ユーザは、負担が強いられることなく、検量線に関する情報である検量線情報４１０を認識できる。
【０１３６】
（２−２）  検量線情報４１０は、検量線を識別するための検量線識別情報４０３を含む。したがって、分析結果が誤りであることが判明した場合であっても、ユーザは、容易に、検量線識別情報４０３を認識できる。よって、例えば、検量線の一覧が表示される画面において、用いられた検量線を、検量線識別情報に基づいてユーザは容易に認識できる。
【０１３７】
（２−３）  検量線情報４１０は、検量線の作成に用いられた基準試料に関する情報である基準試料識別情報４０４を含む。したがって、何らかの理由により、検量線のグラフが誤りであると判明した場合において、該誤りである検量線がどの基準資料に基づいて作成されたのかをユーザに認識させることができる。なお、後述するように、ユーザは、図１５の画面を視認したときに、検量線のグラフが誤りであると認識し得る。
【０１３８】
（２−４）  ところで、同一の分析条件において、ユーザの操作により、分析システム２０は、複数回、検量線が作成される場合がある。この場合には、分析システム（ＭＳ２００）は、複数回、作成された検量線のうち、最新の検量線を用いて、試料を分析する。分析結果が誤りであることが判明した場合には、ユーザは、試料を分析するために最新の検量線が用いられたか否かを判別したい場合がある。そこで、図１４に示すように、検量線情報４１０は、検量線作成日時４０２を含む。したがって、分析結果が誤りであることが判明した場合に、ユーザは、検量線が作成された日時を認識することができる。その結果、分析結果が誤りであることが判明した場合には、ユーザは、試料を分析するために最新の検量線が用いられたか否かを判別することができる。
【０１３９】
（２−５）  表示部１０は、検量線情報４１０が指定（選択）されたときに、図１５に示すように、該検量線情報により特定される検量線を示すグラフ６０２を表示する。したがって、分析結果が誤りであることが判明した場合には、ユーザは、試料を分析するためにどの検量線が用いられたのかを具体的に認識できる。
【０１４０】
（２−６）  表示部１０は、図１５に示すように、検量線を示すグラフ６０２とともに、該検量線が作成される際の分析結果６０４も同一画面に関連付けて表示する。例えば、ユーザが試料の分析が終了した時点では、該分析の分析結果が誤りであることを認識できなかったが、後ほど（例えば、数日後）、該分析結果が誤りであることが判明する場合がある。この場合において、ユーザは、表示部１０に図１５の検量線のグラフを表示させることができる。この検量線のグラフ６０２において、該グラフ６０２から大きく離れた分析結果６０４が存在する場合には、例えば、該検量線の作成に異常が発生していたとユーザは推測することができる。つまり、ユーザは、検量線を示すグラフ６０２と、該検量線が作成される際の分析結果６０４とから、該検量線を示すグラフの正誤を認識できる。
【０１４１】
（２−７）  表示部１０は、分析結果関連情報３０２（分析結果Ｊ）を複数表示する。したがって、ユーザは、例えば、過去の分析結果関連情報３０２を認識することができる。さらに、表示部１０は、複数の分析結果関連情報３０２のうち１の分析結果関連情報３０２が指定（選択）されたときに、該指定された分析結果を出力するために用いられた検量線に関する検量線情報４１０を表示する。したがって、複数の分析結果関連情報３０２（分析結果Ｊ）のうち、誤りが判明した分析結果関連情報３０２についての検量線情報４１０をユーザは認識できる。
【０１４２】
（２−８）  前処理装置１は、図４に示すように、複数の検量線Ｋを第１テーブルに記憶する。また、図６のステップＳ６に示すように、前処理装置１は、分析装置２２０が用いる検量線を分析装置２２０に対して送信する。図６のステップＳ１０に示すように、分析装置２２０は、前処理装置から送信された検量線を用いて、試料を分析する。これにより、前処理装置が指定した検量線を用いて、分析装置は試料を分析することから、処理負担を前処理装置の制御により、分析装置に試料を分析させることができる。
【０１４３】
また、複数の検量線について、前処理装置１ではなく、分析装置２２０が記憶することが考えられる。しかしながら、図１５に示すように、前処理装置１は、表示部１０に検量線のグラフを表示することから、検量線を保持することが好ましい。仮に、分析装置２２０が複数の検量線を記憶する構成（比較例の構成という。）である場合には、前処理装置１と分析装置２２０との双方が、複数の検量線を記憶する必要がある。そうすると、本実施形態の分析システムと比較して、記憶効率が低下する。
【０１４４】
そこで、本実施形態のように、分析装置２２０が、複数の検量線を記憶せずに、前処理装置１が該複数の検量線を記憶する。したがって、本実施形態の分析システムであれば、比較例の構成と比較して、記憶効率を高めることができる。
【０１４５】
［変形例］
次に、前処理装置１および分析システム２０の変形例を説明する。
【０１４６】
（１）  表示部１０は、前処理装置１に連動させる分析装置２２０の種別に応じて、処理に対応したアイコンの並び順を変更するようにしてもよい。例えば、前処理装置１は、分析装置の種別と、処理順序とが対応付けられた第３テーブルを有する。図１６は、第３テーブルの一例を示す図である。図１６の例では、分析装置の種別Ａと、処理順序Ｂとが対応付けられている。
【０１４７】
例えば、前処理装置１に対して、新たに、分析装置が接続された場合には、前処理装置１は、該接続された分析装置に対して、分析装置の種別を要求するための要求信号を送信する。該分析装置は、該要求信号を受信すると、前処理装置１に対して、分析装置種別信号を送信する。分析装置種別信号は、分析装置の種別を示す信号である。
【０１４８】
前処理装置１は、該分析装置種別信号を受信すると、図１６の第３テーブルを参照して、該分析装置種別信号から特定される分析装置の種別と対応する処理順序を取得する。前処理装置１は、該取得した処理順序での複数の処理それぞれのアイコンを、トップ画面および設定画面に表示する。
【０１４９】
これにより、分析システムは、連動させる分析装置の種別に応じて適切な設定が可能となり、ユーザは、設定する必要のある処理を一覧で確認することができる。
【０１５０】
特に、前処理装置に接続される分析装置として、ＭＳ２００を接続せずにＬＣ１００のみとしてもよく、また、ＬＣ１００を接続せずにＭＳ２００のみとしてもよい。したがって、分析装置が変更された場合などであっても、分析システムの適切な処理の順序に基づいて、処理に対応するアイコンを表示することができる。
【０１５１】
（２）  また、表示部１０は、前記設定画面に表示されるアイコンの並び順を任意に変更することができるようにしてもよい。この変更は、例えば、ユーザが入力部１６から入力させるようにする。これにより、分析システムは、ユーザの設定しやすい順にアイコンの並び順を変更することが可能となる。
【０１５２】
（３）  また、表示部１０は、第１の処理の設定を行う入力画面で設定情報を入力した場合、第１の処理に関連する第２の処理の設定を行う入力画面において、あらかじめ設定情報を入力して表示する。
【０１５３】
例えば、第１の処理を待機処理（図８などの待機アイコン５１２に対応する処理）とし、第２の処理を第２シャットダウン処理とする。待機処理と第２シャットダウン処理とは、分析システム２０を停止させるという点で関連している。
【０１５４】
このような場合に、第１の処理である待機処理で予め定められた設定情報（例えば、ＬＣ用画像５６２のポンプＯＦＦ）が設定された場合には、第２の処理である第２シャットダウン処理で予め定められた設定情報（例えば、ＬＣ用画像５５２のポンプＯＦＦ）も設定される。これにより、ユーザによる設定情報の入力作業を軽減することができる。
【０１５５】
（４）  また、本実施形態では、図１４に示す検量線情報４１０がユーザにより指定された場合に、図１５に示すように、該検量線情報４１０に対応する検量線のグラフ６０２を表示するとして説明した。
【０１５６】
しかしながら、図１４に示す検量線情報４１０に、グラフ６０２を含ませるようにしてもよい。つまり、表示部１０は、検量線情報表示エリア４００に、検量線のグラフ６０２を表示させるようにしてもよい。これにより、ユーザは、検量線情報４１０を指定することなく、検量線のグラフ６０２を直接的に認識することができる。また、前処理装置１は、図１５に示すように、グラフ６０２と、該グラフ６０２上に分析結果とを表示するようにしてもよい。
【０１５７】
（５）  また、本実施形態では、検量線情報４１０は、分析情報４０１と、検量線作成日時４０２と、検量線識別情報４０３と、基準試料識別情報４０４の全てを含むとして説明した。
【０１５８】
しかしながら、検量線情報４１０は、分析情報４０１と、検量線作成日時４０２と、検量線識別情報４０３と、基準試料識別情報４０４とのうちの少なくとも１つを含むようにしてもよい。また、検量線情報４１０として、どの情報を表示させるかをユーザが選択できるようにしてもよい。
【０１５９】
（６）  また、本実施形態では、前処理装置１が、図５に示すテーブルを保持するとして説明した。しかしながら、分析装置２２０が、図５に示すテーブルの少なくとも一部を保持するようにしてもよい。このような構成の場合には、前処理装置１は、図１４などの画面を表示するために必要な情報を、分析装置２２０から取得することになる。
【０１６０】
また、分析システム２０は、前処理装置１と、演算処理装置９０と、分析装置２２０とにより構成されるようにしてもよい。この場合において、図４および図５のテーブルは、演算処理装置９０が保持する。さらに、記憶部１２および取得部８４６の機能は、演算処理装置９０が保持する。また、演算処理装置９０が、前処理装置１の表示部１０の表示制御を行う。
【０１６１】
例えば、図６のステップＳ６において、前処理装置１は、分析装置２２０に体して分析条件を送信し、検量線を送信しない。ステップＳ８において、分析装置２２０は、分析条件を取得する。ステップＳ１０において、分析装置２２０は、分析条件に基づいて、分析データ（第１パラメータ、面積値）を算出する。分析装置２２０は、算出された分析データを演算処理装置９０に対して送信する。演算処理装置９０は、検量線を用いて、分析データから分析結果（濃度）を導出する。その後、演算処理装置９０は、導出された分析結果に基づいて、図５のテーブルを増加更新する。
【０１６２】
そして、表示部１０で、図１４の画像を表示している場合において、ユーザにより分析結果関連情報３０２が選択されると、該選択された座標情報が、演算処理装置９０に送信される。該演算処理装置９０は、該座標情報に基づく検量線情報を、検量線情報表示エリア４００に表示する。このような構成によれば、つまり、演算処理装置９０の制御の元、表示部１０は、分析条件に基づいて前記分析装置により求められた分析データから検量線を用いて導出される分析結果と、該分析結果を導出するために用いられた検量線に関する検量線情報とを同一画面に表示する。
【０１６３】
（７）  また、前処理装置１と連動する分析装置２２０の数は２つ（ＭＳ１００と、ＬＣ２００）であるとして説明した。しかしながら、分析装置２２０の数は１以上の数であれば、如何なる数であってもよい。
【０１６４】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【符号の説明】
【０１６５】
１  前処理装置、１０  表示部、１０Ａ  表示領域、１２  記憶部、１４  前処理部、１６  入力部、２０  分析システム、８４  制御部、９０  演算処理装置、２２０  分析装置、３０２  分析結果組合せ情報、３０４  開始ボタン、３０８  分析結果組合せ情報エリア、４００  検量線情報表示エリア。
【図１】
2020063966.tif 000003
【図２】
2020063966.tif 000004
【図３】
2020063966.tif 000005
【図４】
2020063966.tif 000006
【図５】
2020063966.tif 000007
【図６】
2020063966.tif 000008
【図７】
2020063966.tif 000009
【図８】
2020063966.tif 000010
【図９】
2020063966.tif 000011
【図１０】
2020063966.tif 000012
【図１１】
2020063966.tif 000013
【図１２】
2020063966.tif 000014
【図１３】
2020063966.tif 000015
【図１４】
2020063966.tif 000016
【図１５】
2020063966.tif 000017
【図１６】
2020063966.tif 000018